(57)【要約】【課題】被測定体および参照体に照射された光を検出する光検出装置の規模を縮小する。【解決手段】ファブリペロー型の分光素子と、被測定体に照射された光と参照体に照射された光とを前記分光素子に導く第１光学系と、受光強度に応じた検出信号を生成する第１受光部および第２受光部と、前記被測定体に照射されて前記分光素子により分光された光を前記第１受光部に導き、前記参照体に照射されて前記分光素子により分光された光を前記第２受光部に導く第２光学系とを具備する光検出装置。【選択図】図２
2018189599.tif 000002
【特許請求の範囲】
【請求項１】
ファブリペロー型の分光素子と、
被測定体に照射された光と参照体に照射された光とを前記分光素子に導く第１光学系と
、
受光強度に応じた検出信号を生成する第１受光部および第２受光部と、
前記被測定体に照射されて前記分光素子により分光された光を前記第１受光部に導き、
前記参照体に照射されて前記分光素子により分光された光を前記第２受光部に導く第２光
学系と
を具備する光検出装置。
【請求項２】
前記被測定体および前記参照体に光を照射する光源部
を具備する請求項１の光検出装置。
【請求項３】
前記第１光学系は、
前記被測定体から到来する光のうち第１偏光方向の偏光を出射する第１偏光体と、
前記参照体から到来する光のうち前記第１偏光方向とは異なる第２偏光方向の偏光を出
射する第２偏光体と、
前記第１偏光体から出射した前記第１偏光方向の偏光と前記第２偏光体から出射した前
記第２偏光方向の偏光とを合成する光学素子とを含み、
前記第２光学系は、前記第１偏光方向の偏光と前記第２偏光方向の偏光とを分離する
請求項１または請求項２の光検出装置。
【請求項４】
前記第１光学系は、
前記被測定体から到来する光を第１方向から前記分光素子に入射させる第１導光部と、
前記参照体から到来する光を前記第１方向とは異なる第２方向から前記分光素子に入射
させる第２導光部とを含み、
前記第２光学系は、
前記分光素子から前記第１方向に出射する光を前記第１受光部に導く第３導光部と、
前記分光素子から前記第２方向に出射する光を前記第２受光部に導く第４導光部とを含
む
請求項１または請求項２の光検出装置。
【請求項５】
請求項１から請求項４の何れかの光検出装置と、
前記光検出装置が生成した検出信号から生体情報を生成する情報処理装置と
を具備する測定装置。
【発明の詳細な説明】
【技術分野】
【０００１】
本発明は、例えば生体等の被測定体に照射された光を検出するための技術に関する。
【背景技術】
【０００２】
血糖値等の生体情報を非侵襲で測定する各種の測定技術が従来から提案されている。例
えば特許文献１には、被測定体に照射された光を受光する第１光検出部と、参照体に照射
された光を受光する第２光検出部とを具備する成分濃度測定装置が開示されている。第１
光検出部が検出した第１光強度と第２光検出部が検出した第２光強度との比に応じて、血
糖値等の成分濃度が測定される。
【先行技術文献】
【特許文献】
【０００３】
【特許文献１】特開２０１３−８８２４４号公報
【発明の概要】
【発明が解決しようとする課題】
【０００４】
特許文献１の技術では、被測定体に照射された光を第１光検出部に導くための光学的な
要素（例えばレンズ）と、参照体に照射された光を第２検出部に導くための光学的な要素
とが別個に設置される。したがって、測定装置の規模の縮小が困難であるという問題があ
る。以上の事情を考慮して、本発明は、被測定体および参照体の各々に照射された光を検
出する光検出装置の規模を縮小することを目的とする。
【課題を解決するための手段】
【０００５】
以上の課題を解決するために、本発明の好適な態様に係る光照射装置は、ファブリペロ
ー型の分光素子と、被測定体に照射された光と参照体に照射された光とを前記分光素子に
導く第１光学系と、受光強度に応じた検出信号を生成する第１受光部および第２受光部と
、前記被測定体に照射されて前記分光素子により分光された光を前記第１受光部に導き、
前記参照体に照射されて前記分光素子により分光された光を前記第２受光部に導く第２光
学系とを具備する。以上の態様では、被測定体に照射された光と参照体に照射された光と
が共通の分光素子に導かれ、分光素子による分光後に第１受光部および第２受光部の各々
に別個に導かれる。したがって、被測定体に照射された光を分光する分光素子と参照体に
照射された光を分光する分光素子とを個別に設置する構成と比較して、光検出装置の規模
を縮小することが可能である。
【０００６】
本発明の好適な態様に係る光検出装置は、前記被測定体および前記参照体に光を照射す
る光源部を具備する。以上の態様では、被測定体および参照体に対して共通の光源部から
光が照射されるから、被測定体に光を照射する光源部と参照体に光を照射する光源部とを
個別に設置する構成と比較して光検出装置の規模を縮小することが可能である。
【０００７】
本発明に係る光検出装置の第１態様において、前記第１光学系は、前記被測定体から到
来する光のうち第１偏光方向の偏光を出射する第１偏光体と、前記参照体から到来する光
のうち前記第１偏光方向とは異なる第２偏光方向の偏光を出射する第２偏光体と、前記第
１偏光体から出射した前記第１偏光方向の偏光と前記第２偏光体から出射した前記第２偏
光方向の偏光とを合成する光学素子とを含み、前記第２光学系は、前記第１偏光方向の偏
光と前記第２偏光方向の偏光とを分離する。以上の態様では、被測定体から到来する光の
うち第１偏光方向の偏光と、参照体から到来する光のうち第２偏光方向の偏光とが合成さ
れて分光素子に導かれる。第１偏光方向と第２偏光方向とは相違する（例えば直交する）
。したがって、分光素子による分光後における第１偏光方向の偏光と第２偏光方向の偏光
とを、簡便な構成により分離して、第１受光部および第２受光部の各々に導くことが可能
である。
【０００８】
本発明に係る光検出装置の第２態様において、前記第１光学系は、前記被測定体から到
来する光を第１方向から前記分光素子に入射させる第１導光部と、前記参照体から到来す
る光を前記第１方向とは異なる第２方向から前記分光素子に入射させる第２導光部とを含
み、前記第２光学系は、前記分光素子から前記第１方向に出射する光を前記第１受光部に
導く第３導光部と、前記分光素子から前記第２方向に出射する光を前記第２受光部に導く
第４導光部とを含む。以上の態様では、被測定体から到来した光が第１方向から分光素子
に入射し、参照体から到来した光が第２方向から分光素子に入射する。したがって、分光
素子による分光後には、被測定体から到来した光と参照体から到来した光とが相異なる方
向に進行する。以上の構成によれば、被測定体から到来した光と参照体から到来した光と
を、簡便な構成により、第１受光部および第２受光部の各々に導くことが可能である。
【０００９】
本発明の好適な態様に係る測定装置は、以上に例示した何れかの態様に係る光検出装置
と、前記光検出装置が生成した検出信号から生体情報を生成する情報処理装置とを具備す
る。前述の各態様によれば光検出装置の規模が縮小されるから、本発明の好適な態様に係
る測定装置によれば、装置の小型化が容易であるという利点がある。
【図面の簡単な説明】
【００１０】
【図１】本発明の第１実施形態における測定装置の構成図である。
【図２】第１実施形態における光検出装置の構成図である。
【図３】第２実施形態における光検出装置の構成図である。
【発明を実施するための形態】
【００１１】
＜第１実施形態＞
図１は、本発明の第１実施形態に係る測定装置１００の構成図である。第１実施形態の
測定装置１００は、利用者の生体情報を非侵襲的に測定する生体測定器である。具体的に
は、例えば利用者の手首に装着される可搬型の電子機器として測定装置１００は実現され
る。以下の説明では、利用者の血糖値（血中グルコース濃度）を生体情報として例示する
。
【００１２】
図１に例示される通り、第１実施形態の測定装置１００は、光検出装置１２aと情報処
理装置１４と表示装置１６とを具備する。光検出装置１２aは、利用者の身体のうち測定
対象となる部位（以下「被測定体」という）Ｍの状態に応じた検出信号Ｓ（Ｓ1，Ｓ2）を
生成する光学センサーである。情報処理装置１４は、光検出装置１２aが生成した検出信
号Ｓから生体情報を生成する。生体情報の生成には公知の技術が任意に採用される。表示
装置１６は、例えば液晶表示パネルで構成され、情報処理装置１４が生成した生体情報を
表示する。
【００１３】
図２は、光検出装置１２aの構成図である。図２に例示される通り、第１実施形態の光
検出装置１２aは、光源部２０と第１光学系３０aと分光素子４０と第２光学系５０aと第
１受光部６１と第２受光部６２とを具備する。
【００１４】
光源部２０は、所定の波長の光を出射する。第１実施形態の光源部２０は、近赤外域（
例えば８００ｎｍ〜１３００ｎｍ）の光を出射する。例えばＬＥＤ（Light Emitting Dio
de）等の発光素子が光源部２０として好適に利用される。
【００１５】
図２に例示される通り、光検出装置１２aの筐体１８には観測窓１８２が形成される。
他方、筐体１８の内壁面には参照体Ｒが設置される。光源部２０からの出射光のうちの一
部は、観測窓１８２を通過して被測定体Ｍに照射され、他の一部は参照体Ｒに照射される
。参照体Ｒは、被測定体Ｍと対比される物体である。例えば、光源部２０からの出射光の
波長域内で反射率が均等である物体、または、標準的な生体の光学特性を有する物体が参
照体Ｒとして好適に利用される。
【００１６】
光源部２０から被測定体Ｍに入射した光は、被測定体Ｍの内部で反射および散乱を繰返
したうえで第１光学系３０a側に出射する。したがって、被測定体Ｍの内部に存在する血
管および血液の光学特性を反映した光が被測定体Ｍから第１光学系３０a側に出射する。
他方、光源部２０から参照体Ｒに到達した光は、参照体Ｒの表面で拡散反射したうえで第
１光学系３０a側に出射する。第１実施形態の光検出装置１２aは、被測定体Ｍを介した光
の受光強度に応じた検出信号Ｓ1と、参照体Ｒを介した光の受光強度に応じた検出信号Ｓ2
とを生成するダブルビーム方式の光学センサーである。
【００１７】
第１光学系３０aは、被測定体Ｍに照射された光と参照体Ｒに照射された光とを共通の
分光素子４０に導く。第１実施形態の第１光学系３０aは、第１偏光体３１と第２偏光体
３２と光学素子３３とを含んで構成される。
【００１８】
第１偏光体３１は、被測定体Ｍから到来する光のうち偏光方向Ｐ1（第１偏光方向の例
示）に振動する偏光を光学素子３３側に出射する。他方、第２偏光体３２は、参照体Ｒか
ら到来する光のうち偏光方向Ｐ1とは異なる偏光方向Ｐ2（第２偏光方向の例示）に振動す
る偏光を光学素子３３側に出射する。偏光方向Ｐ1と偏光方向Ｐ2とは、典型的には相互に
直交する方向である。
【００１９】
図２の光学素子３３は、第１偏光体３１から出射した偏光方向Ｐ1の偏光と第２偏光体
３２から出射した偏光方向Ｐ2の偏光とを同一の光路に合成する。具体的には、光学素子
３３は、ミラー３３１と偏光ビームスプリッター３３２とを含んで構成される。ミラー３
３１は、第２偏光体３２からの出射光を偏光ビームスプリッター３３２側に反射する。偏
光ビームスプリッター３３２は、第１偏光体３１から到来する偏光方向Ｐ1の偏光を分光
素子４０側に透過し、ミラー３３１から到来する偏光方向Ｐ2の偏光を分光素子４０側に
反射する。したがって、被測定体Ｍおよび第１偏光体３１を介した偏光方向Ｐ1の偏光と
、参照体Ｒおよび第２偏光体３２を介した偏光方向Ｐ2の偏光とが、同一の光路上に合成
されたうえで分光素子４０側に進行する。偏光方向Ｐ1と偏光方向Ｐ2とが直交する場合、
偏光方向が直交する偏光方向Ｐ1の偏光と偏光方向Ｐ2の偏光とは、相互に干渉することな
く分光素子４０に入射する。
【００２０】
図２の分光素子４０は、第１光学系３０aから到来する光を分光するファブリペロー型
の分光器（エタロン）である。具体的には、分光素子４０は、例えば半透過反射性の基板
を相互に間隔をあけて配置した共振器であり、入射光のうち特定の波長（共振波長）の光
を選択的に透過させる。例えば共振波長を電気的に変更可能な分光素子４０が好適に利用
される。
【００２１】
図２の第２光学系５０aは、分光素子４０による分光後の光を分離する。具体的には、
第２光学系５０aは、被測定体Ｍに照射されて分光素子４０により分光された偏光方向Ｐ1
の偏光を第１受光部６１に導き、かつ、参照体Ｒに照射されて分光素子４０により分光さ
れた偏光方向Ｐ2の偏光を第２受光部６２に導く。第１実施形態の第２光学系５０aは、偏
光ビームスプリッター５１とミラー５２とを含んで構成される。偏光ビームスプリッター
５１は、分光素子４０から到来する光のうち偏光方向Ｐ1の偏光を第１受光部６１側に透
過し、偏光方向Ｐ2の偏光をミラー５２側に反射する。ミラー５２は、偏光ビームスプリ
ッター５１から到来する偏光方向Ｐ2の偏光を第２受光部６２側に反射する。
【００２２】
以上の説明から理解される通り、光源部２０から被測定体Ｍに照射された光は、第１偏
光体３１と偏光ビームスプリッター３３２と分光素子４０と偏光ビームスプリッター５１
とを以上の順番で順次に経由したうえで第１受光部６１に入射する。他方、光源部２０か
ら参照体Ｒに照射された光は、第２偏光体３２とミラー３３１と偏光ビームスプリッター
３３２と分光素子４０と偏光ビームスプリッター５１とミラー５２とを、以上の順番で順
次に経由したうえで第２受光部６２に入射する。
【００２３】
図２の第１受光部６１は、第２光学系５０aから到来する光の受光強度に応じた検出信
号Ｓ1を生成する。第２受光部６２は、第２光学系５０aから到来する光の受光強度に応じ
た検出信号Ｓ2を生成する。第１受光部６１および第２受光部６２の各々は、例えば、近
赤外域に高い感度を示すＩｎＧａＡｓ（インジウムガリウムヒ素）で受光層が形成された
受光素子である。なお、検出信号Ｓ1および検出信号Ｓ2の各々を増幅する増幅回路やＡ/
Ｄ変換するＡ/Ｄ変換器の図示は便宜的に省略した。
【００２４】
図１の情報処理装置１４は、検出信号Ｓ1から被測定体Ｍの吸収スペクトルＱ1を生成し
、検出信号Ｓ2から参照体Ｒの吸収スペクトルＱ2を生成する。また、情報処理装置１４は
、吸収スペクトルＱ1を吸収スペクトルＱ2により除算することで吸収スペクトルＱを算定
する。吸収スペクトルＱは、光源部２０以外の光源から到来する光（例えば太陽光や照明
光）の影響や、光源部２０が出射する光量の微小な変動の影響を低減したスペクトルであ
る。情報処理装置１４は、吸収スペクトルＱから血糖値を特定する。吸収スペクトルＱか
ら血糖値を特定する処理には、例えばＰＬＳ（Partial Least Squares）回帰分析法およ
び独立成分分析法等の重回帰分析が好適に利用され得る。
【００２５】
以上に説明した通り、第１実施形態では、被測定体Ｍに照射された光と参照体Ｒに照射
された光とが共通の分光素子４０に到達し、分光素子４０による分光後に分離されて第１
受光部６１および第２受光部６２の各々に別個に到達する。したがって、被測定体Ｍに照
射された光を分光する分光素子と参照体Ｒに照射された光を分光する分光素子とを個別に
設置する構成と比較して、光検出装置１２aの規模を縮小することが可能である。
【００２６】
また、被測定体Ｍに照射された光の受光強度と参照体Ｒに照射された光の受光強度とを
利用することで、太陽光や照明光等の外光の影響と、光源部２０が出射する光量の変動の
影響とを低減して高精度に生体情報（例えば血糖値）を測定することが可能である。
【００２７】
なお、例えば生体情報の測定が外光に影響される構成では、例えば外光の強度が充分に
低い状態となるまで生体情報の測定を待機する必要がある。また、光源部２０が出射する
光量は、電源の投入の直後に不安定に変動し、経時的に安定するという傾向があるから、
光源部２０の出射光量が生体情報の測定に影響する構成では、出射光量が安定するまで生
体情報の測定を待機する必要がある。第１実施形態では、前述の通り、外光の影響と光源
部２０の光量変動の影響とが低減されるから、外光強度が充分に低い状態や光源部２０の
出射光量が安定した状態まで生体情報の測定を待機する必要はない。したがって、生体情
報を迅速に測定できるという利点もある。
【００２８】
また、第１実施形態では、被測定体Ｍから到来する光のうち偏光方向Ｐ1の偏光と、参
照体Ｒから到来する光のうち偏光方向Ｐ2の偏光とが合成されて分光素子４０に入射され
る。偏光方向Ｐ1と偏光方向Ｐ2とは相違する。したがって、分光素子４０による分光後に
おける偏光方向Ｐ1の偏光と偏光方向Ｐ2の偏光とを、簡便な構成（偏光ビームスプリッタ
ー５１）により分離できるという利点がある。
【００２９】
＜第２実施形態＞
本発明の第２実施形態を説明する。なお、以下に例示する各構成において作用または機
能が第１実施形態と同様である要素については、第１実施形態の説明で使用した符号を流
用して各々の詳細な説明を適宜に省略する。
【００３０】
第２実施形態の測定装置１００は、第１実施形態の光検出装置１２aを図３の光検出装
置１２bに置換した構成である。図３に例示される通り、第２実施形態の光検出装置１２b
は、光源部２０と第１光学系３０bと分光素子４０と第２光学系５０bと第１受光部６１と
第２受光部６２とを具備する。すなわち、第２実施形態の測定装置１００は、第１実施形
態の第１光学系３０aが第１光学系３０bに置換され、第１実施形態の第２光学系５０aが
第２光学系５０bに置換された装置である。光源部２０は、第１実施形態と同様に、被測
定体Ｍおよび参照体Ｒの各々に光（例えば近赤外光）を照射する。
【００３１】
図３の第１光学系３０bは、被測定体Ｍに照射された光と参照体Ｒに照射された光とを
分光素子４０に導く。第２実施形態の第１光学系３０bは、第１導光部３４と第２導光部
３５とを具備する。第１導光部３４は、被測定体Ｍから到来する光を方向Ｄ1（第１方向
の例示）から分光素子４０に入射させる。第２導光部３５は、参照体Ｒから到来する光を
方向Ｄ2（第２方向の例示）から分光素子４０に入射させる。方向Ｄ1と方向Ｄ2とは相異
なる方向である。
【００３２】
第１導光部３４は、ミラー３４１とミラー３４２と偏光体３４３とを含んで構成される
。ミラー３４１は、被測定体Ｍから到来する光をミラー３４２側に反射する。ミラー３４
２は、ミラー３４１が反射した光を偏光体３４３側に反射する。偏光体３４３は、ミラー
３４２が反射した光のうち偏光方向Ｐ1の偏光を分光素子４０側に出射する。偏光体３４
３からの出射光が方向Ｄ1に進行するようにミラー３４１およびミラー３４２の角度が設
定される。
【００３３】
第２導光部３５は、ミラー３５１とミラー３５２と偏光体３５３とを含んで構成される
。ミラー３５１は、参照体Ｒから到来する光をミラー３５２側に反射する。ミラー３５２
は、ミラー３５１が反射した光を偏光体３５３側に反射する。偏光体３５３は、ミラー３
５２が反射した光のうち偏光方向Ｐ2の偏光を分光素子４０側に出射する。第１実施形態
と同様に、偏光方向Ｐ1と偏光方向Ｐ2とは交差（典型的には直交）する。偏光体３５３か
らの出射光が方向Ｄ2に進行するようにミラー３５１およびミラー３５２の角度が設定さ
れる。
【００３４】
分光素子４０は、第１実施形態と同様に、第１光学系３０bから到来する光を分光する
ファブリペロー型の分光器である。第１導光部３４から到来した光は分光後も方向Ｄ1に
進行し、第２導光部３５から到来した光は分光後も方向Ｄ2に進行する。すなわち、被測
定体Ｍを経由した光と参照体Ｒを経由した光とは、分光素子４０による分光後に相異なる
方向に分離される。
【００３５】
第２光学系５０bは、被測定体Ｍに照射されて分光素子４０により分光された光を第１
受光部６１に導き、参照体Ｒに照射されて分光素子４０により分光された光を第２受光部
６２に導く。第２実施形態の第２光学系５０bは、第３導光部５３と第４導光部５４とを
含んで構成される。第３導光部５３は、分光素子４０から方向Ｄ1に出射する光（すなわ
ち被測定体Ｍを介した光）を第１受光部６１に導く。第４導光部５４は、分光素子４０か
ら方向Ｄ2に出射する光（すなわち参照体Ｒを介した光）を第２受光部６２に導く。
【００３６】
図３に例示される通り、第３導光部５３は、ミラー５３１とミラー５３２とを含んで構
成される。ミラー５３１は、分光素子４０から方向Ｄ1に出射する光をミラー５３２側に
反射する。ミラー５３２は、ミラー５３１が反射した光を第１受光部６１側に反射する。
他方、第４導光部５４は、ミラー５４１とミラー５４２とを含んで構成される。ミラー５
４１は、分光素子４０から方向Ｄ2に出射する光をミラー５４２側に反射する。ミラー５
４２は、ミラー５４１が反射した光を第２受光部６２側に反射する。
【００３７】
第１受光部６１は、第２光学系５０b（ミラー５３２）から到来する光の受光強度に応
じた検出信号Ｓ1を生成する。第２受光部６２は、第２光学系５０b（ミラー５４２）から
到来する光の受光強度に応じた検出信号Ｓ2を生成する。情報処理装置１４および表示装
置１６の構成および動作は第１実施形態と同様である。
【００３８】
第２実施形態においても第１実施形態と同様の効果が実現される。また、第２実施形態
では、被測定体Ｍから到来した光が方向Ｄ1から分光素子４０に入射し、参照体Ｒから到
来した光が方向Ｄ2から分光素子４０に入射する。したがって、分光素子４０による分光
後には、被測定体Ｍから到来した光と参照体Ｒから到来した光とが相異なる方向に進行す
る。以上の構成によれば、被測定体Ｍから到来した光と参照体Ｒから到来した光とを、簡
便な構成により、第１受光部６１および第２受光部６２の各々に入射させることができる
。
【００３９】
なお、以上に説明した通り、第２実施形態では、被測定体Ｍから到来する光と参照体Ｒ
から到来する光とを、相互に別方向に進行させることで分光素子４０による分光後に分離
する。したがって、被測定体Ｍから到来する光と参照体Ｒから到来する光とを、相異なる
方向に振動する偏光に変調する必要は必ずしもない。すなわち、図３の偏光体３４３およ
び偏光体３５３は省略され得る。
【００４０】
＜変形例＞
以上に例示した各形態は多様に変形され得る。具体的な変形の態様を以下に例示する。
以下の例示から任意に選択された２以上の態様を適宜に併合することも可能である。
【００４１】
（１）前述の各形態では、被測定体Ｍおよび参照体Ｒに対して共通の光源部２０から光を
照射したが、被測定体Ｍに光を照射する光源部と参照体Ｒに光を照射する光源部とを個別
に設置することも可能である。ただし、被測定体Ｍと参照体Ｒとに対して共通の光源部２
０が光を照射する構成によれば、被測定体Ｍと参照体Ｒとで光源部を個別に設置した構成
と比較して光検出装置１２の規模を縮小することが可能である。また、光源の安定性をシ
ビアに管理する必要がないダブルビーム方式を実現できる。
【００４２】
（２）前述の各形態では、被測定体Ｍおよび参照体Ｒからみて片側に光源部２０と第１受
光部６１および第２受光部６２とを設置した反射型の光学センサーを例示した。被測定体
Ｍおよび参照体Ｒを挟んで第１受光部６１および第２受光部６２とは反対側に光源部２０
を設置した透過型の光学センサーにも本発明は適用され得る。
【００４３】
（３）前述の各形態では、光検出装置１２（１２a，１２b）と情報処理装置１４と表示装
置１６とを具備する測定装置１００を例示したが、測定装置１００とは別体の端末装置に
より情報処理装置１４および表示装置１６を実現することも可能である。例えば、測定装
置１００との間で無線または有線により通信する端末装置（例えば携帯電話機やスマート
フォン）が、情報処理装置１４および表示装置１６として利用される。例えば、端末装置
は、光検出装置１２による検出結果（検出信号Ｓ1および検出信号Ｓ2）から生体情報を測
定して自身の表示装置１６に表示する。
【００４４】
（４）前述の各形態では、血糖値（血中グルコース濃度）を生体情報として例示したが、
生体情報の種類は以上の例示に限定されない。例えば、ヘモグロビン濃度、血中酸素濃度
、中性脂肪濃度等の各種の血液成分濃度が、生体情報として測定され得る。
【符号の説明】
【００４５】
１００…測定装置、１２a，１２b…光検出装置、１４…情報処理装置、１６…表示装置、
２０…光源部、３０a，３０b…第１光学系、３１…第１偏光体、３２…第２偏光体、３３
…光学素子、３４…第１導光部、３４１…ミラー、３４２…偏光ビームスプリッター、３
５…第２導光部、４０…分光素子、５０a，５０b…第２光学系、５１…偏光ビームスプリ
ッター、５２…ミラー、５３…第３導光部、５３１，５３２…ミラー、５４…第４導光部
、５４１，５４２…ミラー、６１…第１受光部、６２…第２受光部。
【図１】
2018189599.tif 000003
【図２】
2018189599.tif 000004
【図３】
2018189599.tif 000005